(57)【特許請求の範囲】
【請求項１】
接続された情報処理装置の電源をオンオフする電源制御装置であって、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を備え、
前記電源オフ制御部は、特定の電源オフ要求を受け付けた場合に、ネットワークを介して前記ネットワーク起動部に通知された起動要求を破棄することにより、前記ネットワーク起動部による前記情報処理装置の電源をオンにする制御を停止する、
電源制御装置。
【請求項２】
請求項１に記載の電源制御装置であって、
前記電源オフ制御部は、接続されて装備された特定のスイッチが操作されることにより入力された前記特定の電源オフ要求を受け付ける、
電源制御装置。
【請求項３】
請求項２に記載の電源制御装置であって、
前記電源オフ制御部は、前記特定のスイッチが押下操作されることにより入力された前記特定の電源オフ要求を受け付ける、
電源制御装置。
【請求項４】
請求項１乃至３のいずれかに記載の電源制御装置であって、
前記タイマ起動部は、電源がオンにされる時刻として設定された起動時刻情報を記憶装置に記憶し、
前記電源オフ制御部は、特定の電源オフ要求を受け付けた場合に、前記記憶装置に記憶されている前記起動時刻情報を削除することにより、前記タイマ起動部による前記情報処理装置の電源をオンにする制御を停止する、
電源制御装置。
【請求項５】
請求項１乃至４のいずれかに記載の電源制御装置であって、
前記ネットワーク起動部は、ネットワークを介して通知された時刻を指定した起動要求を受け付けた場合に、当該通知された時刻を起動要求時刻情報として記憶装置に記憶し、
前記電源オフ制御部は、特定の電源オフ要求を受け付けた場合に、前記記憶装置に記憶されている前記起動要求時刻情報を削除することにより、前記ネットワーク起動部による前記情報処理装置の電源をオンにする制御を停止する、
電源制御装置。
【請求項６】
接続された情報処理装置の電源をオンオフする電源制御装置であって、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記ネットワーク起動部による前記情報処理装置の電源をオンにする制御を停止する電源オフ制御部と、
を備え、
前記電源オフ制御部は、特定の電源オフ要求を受け付けた場合に、ネットワークを介して前記ネットワーク起動部に通知された起動要求を破棄することにより、前記ネットワーク起動部による前記情報処理装置の電源をオンにする制御を停止する、
電源制御装置。
【請求項７】
接続された情報処理装置の電源をオンオフする電源制御装置に、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を実現させると共に、
前記電源オフ制御部は、特定の電源オフ要求を受け付けた場合に、ネットワークを介して前記ネットワーク起動部に通知された起動要求を破棄することにより、前記ネットワーク起動部による前記情報処理装置の電源をオンにする制御を停止する、
ことを実現させるためのプログラム。
【請求項８】
接続された情報処理装置の電源をオンオフする電源制御装置による電源制御方法であって、
前記電源制御装置は、設定された時刻に前記情報処理装置の電源をオンにするタイマ起動部と、ネットワークを介して通知された起動要求に応じて前記情報処理装置の電源をオンにするネットワーク起動部と、を備えており、
特定の電源オフ要求の入力を受け付けた場合に、前記情報処理装置の電源をオフにすると共に、前記タイマ起動部及び前記ネットワーク起動部による前記情報処理装置の電源をオンにする制御を停止し、さらに、ネットワークを介して前記ネットワーク起動部に通知された起動要求を破棄することにより、前記ネットワーク起動部による前記情報処理装置の電源をオンにする制御を停止する、
電源制御方法。
【発明の詳細な説明】
【技術分野】
【０００１】
本発明は、電源制御装置にかかり、特に、情報処理装置の電源を制御する電源制御装置に関する。
【背景技術】
【０００２】
火災や自然災害によって、ユーザが、サーバ装置が設置されている場所から避難しなければならない場合がある。そのようなときには、サーバ装置の電源をオフにし、システムの誤作動を防止する必要がある。
【０００３】
ここで、特許文献１に記載されているように、火災や自然災害を検出するセンサーが異常を検出した場合に、サーバをシャットダウンし、DC（Direct Current）電源をオフにする、という技術がある。
【先行技術文献】
【特許文献】
【０００４】
【特許文献１】特公昭６０−５９６０９号公報
【特許文献２】特許第５５２２３７３号公報
【発明の概要】
【発明が解決しようとする課題】
【０００５】
しかしながら、上述した方法でサーバ装置の電源をオフにした場合であっても、特許文献２に記載されているように、外部からのWOL（Wake On Lan）やIPMI（Intelligent Platform Management Interface）によるリモート起動指示、あるいは、事前にスケジュールされたタイマによって、サーバが起動される場合がある。このように、災害などでユーザが避難後にサーバの電源がオンにされてしまうと、意図しないシステムの誤作動が発生する可能性がある。
【０００６】
一方で、意図しないシステムの誤起動を防止する対策として、一般的には分電盤をオフにし、AC（Alternating Current）の供給を遮断する方法がある。しかしながら、データセンターなどの場合、多数のサーバが設置されており、これらの分電盤をすべて人手でオフする場合には多くの時間を要するという課題があった。また、停電対策として分電盤とサーバ間にバックアップ電源（バッテリ、UPS（Uninterruptible Power Supply））を備えた機器がある場合には、電源供給を遮断するために更に多くの手順を必要としていた。
【０００７】
このように、災害などでユーザが避難する際には、簡易な方法でシステムの誤作動を防止するよう電源をオフにすることが困難である、という問題があった。
【０００８】
このため、本発明の目的は、上述した課題である、簡易な方法でシステムの誤作動を防止するよう電源をオフにすることが困難である、ことを解決することにある。
【課題を解決するための手段】
【０００９】
本発明の一形態である電源制御装置は、
接続された情報処理装置の電源をオンオフする電源制御装置であって、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を備えた、
という構成をとる。
【００１０】
また、本発明の一形態である電源制御装置は、
接続された情報処理装置の電源をオンオフする電源制御装置であって、
設定された時刻に前記情報処理装置の電源をオンにするタイマ起動部と、
特定の電源オフ要求の入力を受け付けた場合に、前記情報処理装置の電源をオフにすると共に、前記タイマ起動部による前記情報処理装置の電源をオンにする制御を停止する電源オフ制御部と、
を備えた、
という構成をとる。
【００１１】
また、本発明の一形態である電源制御装置は、
接続された情報処理装置の電源をオンオフする電源制御装置であって、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記ネットワーク起動部による前記情報処理装置の電源をオンにする制御を停止する電源オフ制御部と、
を備えた、
という構成をとる。
【００１２】
また、本発明の一形態であるプログラムは、
接続された情報処理装置の電源をオンオフする電源制御装置に、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を実現させる、
という構成をとる。
【００１３】
また、本発明の一形態であるプログラムは、
接続された情報処理装置の電源をオンオフする電源制御装置に、
設定された時刻に前記情報処理装置の電源をオンにするタイマ起動部と、
特定の電源オフ要求の入力を受け付けた場合に、前記情報処理装置の電源をオフにすると共に、前記タイマ起動部による前記情報処理装置の電源をオンにする制御を停止する電源オフ制御部と、
を実現させる、
という構成をとる。
【００１４】
また、本発明の一形態であるプログラムは、
接続された情報処理装置の電源をオンオフする電源制御装置に、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記ネットワーク起動部による前記情報処理装置の電源をオンにする制御を停止する電源オフ制御部と、
を実現させる、
という構成をとる。
【００１５】
また、本発明の一形態である電源制御方法は、
接続された情報処理装置の電源をオンオフする電源制御装置による電源制御方法であって、
前記電源制御装置は、設定された時刻に前記情報処理装置の電源をオンにするタイマ起動部と、ネットワークを介して通知された起動要求に応じて前記情報処理装置の電源をオンにするネットワーク起動部とを備えており、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する、
という構成をとる。
【００１６】
また、本発明の一形態である電源制御方法は、
接続された情報処理装置の電源をオンオフする電源制御装置による電源制御方法であって、
前記電源制御装置は、設定された時刻に前記情報処理装置の電源をオンにするタイマ起動部を備えており、
特定の電源オフ要求の入力を受け付けた場合に、前記情報処理装置の電源をオフにすると共に、前記タイマ起動部による前記情報処理装置の電源をオンにする制御を停止する、
という構成をとる。
【００１７】
また、本発明の一形態である電源制御方法は、
接続された情報処理装置の電源をオンオフする電源制御装置よる電源制御方法であって、
前記電源制御装置は、ネットワークを介して通知された起動要求に応じて前記情報処理装置の電源をオンにするネットワーク起動部を備えており、
特定の電源オフ要求の入力を受け付けた場合に、前記情報処理装置の電源をオフにすると共に、前記ネットワーク起動部による前記情報処理装置の電源をオンにする制御を停止する、
という構成をとる。
【発明の効果】
【００１８】
本発明は、以上のように構成されることにより、簡易な方法でシステムの誤作動を防止するよう電源をオフにすることができる。
【図面の簡単な説明】
【００１９】
【図１】本発明の実施形態１における電源制御システムの構成を示すブロック図である。
【図２】図１に開示した電源制御システムが備えるCPUの構成を示す機能ブロック図である。
【図３】図１に開示した電源制御システムの動作を示すフローチャートである。
【図４】図１に開示した電源制御システムの動作を示すフローチャートである。
【図５】本発明の実施形態２における電源制御装置の構成を示す機能ブロック図である。
【図６】本発明の実施形態２における電源制御装置の構成の他の例を示す機能ブロック図である。
【図７】本発明の実施形態２における電源制御装置の構成の他の例を示す機能ブロック図である。
【発明を実施するための形態】
【００２０】
＜実施形態１＞
本発明の第１の実施形態を、図１乃至図４を参照して説明する。図１乃至図２は、電源制御システムの構成を説明するための図である。図３乃至図４は、電源制御システムの動作を説明するための図である。
【００２１】
［構成］
本発明における電源制御システム１は、図１に示すように、サーバ６０（情報処理装置）に接続されており、当該サーバ６０の電源を供給する電源ポート１１を備えている。電源ポート１１は、分電盤８０、バッテリ７０を介して電力を供給している。
【００２２】
また、電源制御システム１は、制御装置であるＣＰＵ（Central Processing Unit）１０を備えており、電源ポート１１によるサーバ６０の電源のオンオフを制御する機能を有する。具体的に、ＣＰＵは、図２に示すように、プログラムを実行することで構築された、タイマ起動部１０１とネットワーク起動部１０２と電源オフ制御部１０３とを備えている。また、電源制御システム１は、タイマ１２とＬＡＮ１３とを備えている。
【００２３】
そして、電源制御システム１は、複数のサーバ６０に接続しており、各サーバ６０ごとに、上記電源ポート１１、ＣＰＵ１０、タイマ１２、ＬＡＮ１３からなる電源制御ユニットを備えている。
【００２４】
さらに、電源制御システム２０は、上記ＬＡＮ１３に接続された電源管理サーバ３０を備えており、当該電源管理サーバ３０には、リモート起動入力部４０と、オン時刻入力部５０と、が接続されている。オン時刻入力部５０は、電源ポート１１に接続されているサーバ６０をオンする起動時刻が入力される。リモート起動入力部５０は、サーバ６０を指定して電源をオンにすることを要求するリモート電源オン指示（起動要求）が入力される。このリモート電源オン指示は、例えば、即時にサーバ６０の電源をオンにする指示や、起動時刻を指定した指示がある。
【００２５】
そして、電源管理サーバ３０は、入力された起動時刻や、電源をオンにしたいサーバ６０のリモート電源オン指示を、電源制御システム１内のＬＡＮ１３に通知する。このとき、電源制御システム１は、起動時刻やリモート電源オン指示を、当該リモート電源オン指示で指定されたサーバ６０に接続された電源制御ユニットのＬＡＮ１３に通知する。
【００２６】
上記ＬＡＮ１３は、電源管理サーバ３０から通知された起動時刻とリモート電源オン指示を、ＣＰＵ１０に通知する。
【００２７】
上記タイマ起動部１０１は、電源管理サーバ３０から通知された起動時刻（起動時刻情報）をタイマ１２に装備された記憶装置に記憶する。なお、タイマ起動部１０１は、電源管理サーバ３０から通知された起動時刻に限らず、ネットワークを介さずに直接入力された起動時刻などあらゆる起動時刻をタイマ１２に記憶する。
【００２８】
これに応じて、タイマ１２は、記憶された起動時刻になると、そのことをＣＰＵ１０に通知する。そして、タイマ起動部１０１は、タイマ１２から起動時刻となったことの通知を受けると、電源ポート１１をオンにして、サーバ６０の電源をオンにする。
【００２９】
また、ネットワーク起動部１０２は、電源管理サーバ３０から通知されたリモート電源オン指示（起動要求）を受け付けて、サーバ６０の電源をオンにする。このとき、ネットワーク起動部１０２は、リモート電源オン指示が即時に電源をオンにする指示である場合には、かかる指示を受け付けるとすぐに電源ポート１１をオンにして、サーバ６０の電源をオンにする。一方、リモート電源オン指示が起動時刻を指定した指示である場合には、かかる起動時刻（起動要求時刻情報）をタイマ１２に記憶する。すると、上述したように、起動時刻になると、タイマ１２からその旨がタイマ起動部１０１に通知され、電源ポート１１をオンにしてサーバ６０の電源をオンにする。
【００３０】
また、電源制御システム１は、図１に示すように、緊急避難状態開始スイッチ２０（特定のスイッチ）を備えている。この緊急避難状態開始スイッチ２０は、例えば、押下する操作が可能なスイッチであるが、他の操作が可能なスイッチであってもよい。そして、緊急状態可能スイッチ２０は、ＣＰＵ１０に接続されており、押下操作された場合に電源オフ要求が入力され、ＣＰＵ１０に通知する。
【００３１】
上記電源オフ制御部１０３は、緊急避難状態開始スイッチ２０から電源オフ要求の通知を受けると、電源ポート１１をオフにしてサーバ６０の電源をオフにする。これに加え、電源オフ制御部１０３は、上述したタイマ起動部１０１とネットワーク起動部１０２とによるサーバ６０の電源をオンにする制御を停止する。例えば、タイマ１２に記憶されている起動時刻（起動時刻情報、起動要求時刻情報）を削除する。また、ネットワーク起動部１０２に通知されたリモート電源オン指示を破棄する。
【００３２】
［動作］
次に、上述した構成の電源制御システム１の動作を、図３乃至図４のフローチャートを参照して説明する。
【００３３】
はじめに、ユーザは、サーバ６０を電源制御システム１の電源ポート１１に接続する。ユーザは、即座にサーバ６０の電源をオンしたい場合には、リモート起動入力部４０から起動したいサーバ６０を入力する。すると、電源管理サーバ３０はリモート電源オン指示を対象となるサーバ６０に接続されたＬＡＮ１３に通知し、当該ＬＡＮ１３からＣＰＵ１０に通知される。そして、リモート電源オン指示を受けたＣＰＵ１０は、ネットワーク起動部１０２が電源ポート１１をオンにして、サーバ６０の電源をオンにする（図３のステップＳ１でＮｏ、ステップＳ２でＹｅｓ、ステップＳ６）。
【００３４】
一方、ユーザは、指定時刻にサーバ６０の電源をオンしたい場合には、リモート起動入力部４０及びオン時刻入力部５０から、起動したいサーバ６０及び起動時刻を入力する。すると、電源管理サーバ３０は、起動時刻を含むリモート電源オン指示を対象となるサーバ６０に接続されたＬＡＮ１３に通知し、当該ＬＡＮ１３からＣＰＵ１０に通知される。そして、リモート電源オン指示を受けたＣＰＵ１０は、ネットワーク起動部１０２が起動時刻をタイマ１２に記憶する（図３のステップＳ１でＮｏ、ステップＳ２でＮｏ、ステップＳ３でＹｅｓ、ステップＳ４）。その後、タイマ１２は、設定された起動時刻になると、その旨をタイマ起動部１０１に通知する。すると、タイマ起動部１０１は、電源ポート１１をオンにしてサーバ６０の電源をオンにする（図３のステップＳ５でＹｅｓ、ステップＳ６）。
【００３５】
ここで、ユーザは、火災や自然災害によって、サーバ６０が設置されている場所から避難しなければならない時には、電源制御システム１に装備された緊急避難状態開始スイッチ２０を押下する。すると、緊急避難状態開始スイッチ２０は、電源オフ要求をＣＰＵ１０に通知する。
【００３６】
ＣＰＵ１０が電源オフ要求を受けると、電源オフ制御部１０３が緊急避難状態開始スイッチ２０が押下されたことを検出し（図３のステップＳ１でＹｅｓ）、電源ポート１１をオフにしてサーバ６０の電源をオフにする（図４のステップＳ１１）。これに加え、電源オフ制御部１０３は、タイマ１２に記憶されている起動時刻を削除する（図４のステップＳ１２でＹｅｓ、ステップＳ１３）。また、その後、ネットワーク起動部１０２にリモート電源オン指示が通知された場合には、かかるリモート電源オン指示を破棄する（図４のステップＳ１４でＹｅｓ、ステップＳ１５）。つまり、即時にサーバ６０の電源をオンにするリモート電源オン指示や、起動時間を指定したリモート電源オン指示を破棄する。
【００３７】
以上のように、本発明によると、火災や自然災害によって、ユーザが、サーバ６０が設置されている場所から避難しなければならない時、サーバ６０が個別にバックアップ電源（バッテリ、UPS）を持っていたり、分電盤の停止ができない状態であっても、スケジューリングされたサーバをオンする時刻になったり、あるいは遠隔地にいるユーザがリモートによるオン指示をしても、サーバの電源がオンにならず、システムの誤起動を防止できる。
【００３８】
＜実施形態２＞
次に、本発明の第２の実施形態を、図５乃至図７を参照して説明する。図５乃至図７は、電源制御装置の構成の概略を示す図である。
【００３９】
図５に示すように、本実施形態における電源制御装置２００は、接続された情報処理装置３００の電源をオンオフする装置である。そして、電源制御装置２００は、設定された時刻に情報処理装置３００の電源をオンにするタイマ起動部２０１と、ネットワークを介して通知された起動要求に応じて情報処理装置３００の電源をオンにするネットワーク起動部２０２と、を備えている。
【００４０】
さらに、電源制御装置２００は、特定の電源オフ要求の入力を受け付けた場合に、情報処理装置３００の電源をオフにすると共に、タイマ起動部２０１及びネットワーク起動部２０２による情報処理装置３００の電源をオンにする制御を停止する電源オフ制御部２０３を備えている。なお、上述した各部２０１，２０２，２０３は、電源制御装置２００に装備された演算装置がプログラムを実行することで実現される。
【００４１】
上記構成の電源制御装置２００によると、特定の電源オフ要求の入力を受け付けた場合には、情報処理装置３００の電源をオフにすると共に、タイマ起動部２０１及びネットワーク起動部２０２による情報処理装置３００の電源をオンにする制御が停止される。これにより、災害などでユーザが避難する際に、情報処理装置３００の電源が意図せずにオンになることを唖でき、システムの誤作動を防止することができる。
【００４２】
なお、電源制御装置２００は、ネットワーク起動部２０２を備えていなくてもよい。つまり、電源装置２００は、図６に示すように、上記タイマ起動部２０１と上記電源オフ制御部２０３とを備えた構成であってもよい。この場合、電源オフ制御部２０３は、特定の電源オフ要求の入力を受け付けた場合に、情報処理装置３００の電源をオフにすると共に、タイマ起動部２０１による情報処理装置３００の電源をオンにする制御を停止するよう作動する。
【００４３】
また、電源制御装置２００は、タイマ起動部２０１を備えていなくてもよい。つまり、電源装置２００は、図７に示すように、上記ネットワーク起動部２０２と上記電源オフ制御部２０３とを備えた構成であってもよい。この場合、電源オフ制御部２０３は、特定の電源オフ要求の入力を受け付けた場合に、情報処理装置３００の電源をオフにすると共に、ネットワーク起動部２０２による情報処理装置３００の電源をオンにする制御を停止するよう作動する。
【００４４】
＜付記＞
上記実施形態の一部又は全部は、以下の付記のようにも記載されうる。以下、本発明における電源制御装置、プログラム、電源制御方法の構成の概略を説明する。但し、本発明は、以下の構成に限定されない。
【００４５】
（付記１）
接続された情報処理装置の電源をオンオフする電源制御装置であって、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を備えた電源制御装置。
【００４６】
（付記２）
付記１に記載の電源制御装置であって、
前記電源オフ制御部は、接続されて装備された特定のスイッチが操作されることにより入力された前記特定の電源オフ要求を受け付ける、
電源制御装置。
【００４７】
（付記３）
付記２に記載の電源制御装置であって、
前記電源オフ制御部は、前記特定のスイッチが押下操作されることにより入力された前記特定の電源オフ要求を受け付ける、
電源制御装置。
【００４８】
（付記４）
付記１乃至３のいずれかに記載の電源制御装置であって、
前記タイマ起動部は、電源がオンにされる時刻として設定された起動時刻情報を記憶装置に記憶し、
前記電源オフ制御部は、特定の電源オフ要求を受け付けた場合に、前記記憶装置に記憶されている前記起動時刻情報を削除することにより、前記タイマ起動部による前記情報処理装置の電源をオンにする制御を停止する、
電源制御装置。
【００４９】
（付記５）
付記１乃至４のいずれかに記載の電源制御装置であって、
前記電源オフ制御部は、特定の電源オフ要求を受け付けた場合に、ネットワークを介して前記ネットワーク起動部に通知された起動要求を破棄することにより、前記ネットワーク起動部による前記情報処理装置の電源をオンにする制御を停止する、
電源制御装置。
【００５０】
（付記６）
付記１乃至５のいずれかに記載の電源制御装置であって、
前記ネットワーク起動部は、ネットワークを介して通知された時刻を指定した起動要求を受け付けた場合に、当該通知された時刻を起動要求時刻情報として記憶装置に記憶し、
前記電源オフ制御部は、特定の電源オフ要求を受け付けた場合に、前記記憶装置に記憶されている前記起動要求時刻情報を削除することにより、前記ネットワーク起動部による前記情報処理装置の電源をオンにする制御を停止する、
電源制御装置。
【００５１】
（付記７）
接続された情報処理装置の電源をオンオフする電源制御装置であって、
設定された時刻に前記情報処理装置の電源をオンにするタイマ起動部と、
特定の電源オフ要求の入力を受け付けた場合に、前記情報処理装置の電源をオフにすると共に、前記タイマ起動部による前記情報処理装置の電源をオンにする制御を停止する電源オフ制御部と、
を備えた電源制御装置。
【００５２】
（付記８）
接続された情報処理装置の電源をオンオフする電源制御装置であって、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記ネットワーク起動部による前記情報処理装置の電源をオンにする制御を停止する電源オフ制御部と、
を備えた電源制御装置。
【００５３】
（付記９）
接続された情報処理装置の電源をオンオフする電源制御装置に、
設定された時刻に前記情報処理装置の電源をオンにするタイマ起動部と、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する電源オフ制御部と、
を実現させるためのプログラム。
【００５４】
（付記１０）
接続された情報処理装置の電源をオンオフする電源制御装置による電源制御方法であって、
前記電源制御装置は、設定された時刻に前記情報処理装置の電源をオンにするタイマ起動部と、ネットワークを介して通知された起動要求に応じて前記情報処理装置の電源をオンにするネットワーク起動部とを備えており、
特定の電源オフ要求の入力を受け付けた場合に、前記情報処理装置の電源をオフにすると共に、前記タイマ起動部及び前記ネットワーク起動部による前記情報処理装置の電源をオンにする制御を停止する、
電源制御方法。
【００５５】
（付記１１）
接続された情報処理装置の電源をオンオフする電源制御装置に、
設定された時刻に前記情報処理装置の電源をオンにするタイマ起動部と、
特定の電源オフ要求の入力を受け付けた場合に、前記情報処理装置の電源をオフにすると共に、前記タイマ起動部による前記情報処理装置の電源をオンにする制御を停止する電源オフ制御部と、
を実現させるためのプログラム。
【００５６】
（付記１２）
接続された情報処理装置の電源をオンオフする電源制御装置による電源制御方法であって、
前記電源制御装置は、設定された時刻に前記情報処理装置の電源をオンにするタイマ起動部を備えており、
特定の電源オフ要求の入力を受け付けた場合に、前記情報処理装置の電源をオフにすると共に、前記タイマ起動部による前記情報処理装置の電源をオンにする制御を停止する、
電源制御方法。
【００５７】
（付記１３）
接続された情報処理装置の電源をオンオフする電源制御装置に、
ネットワークを介して通知された起動要求に応じて前記情報処理装置の電源をオンにするネットワーク起動部と、
特定の電源オフ要求の入力を受け付けた場合に、前記情報処理装置の電源をオフにすると共に、前記ネットワーク起動部による前記情報処理装置の電源をオンにする制御を停止する電源オフ制御部と、
を実現させるためのプログラム。
【００５８】
（付記１４）
接続された情報処理装置の電源をオンオフする電源制御装置よる電源制御方法であって、
前記電源制御装置は、ネットワークを介して通知された起動要求に応じて前記情報処理装置の電源をオンにするネットワーク起動部を備えており、
特定の電源オフ要求の入力を受け付けた場合に、前記情報処理装置の電源をオフにすると共に、前記ネットワーク起動部による前記情報処理装置の電源をオンにする制御を停止する、
電源制御方法。
【００５９】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００６０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００６１】
１  電源制御システム
１０  ＣＰＵ
１１  電源ポート
１２  タイマ
１３  ＬＡＮ
２０  緊急避難状態開始スイッチ
３０  電源管理サーバ
４０  リモート起動入力部
５０  オン時刻入力部
６０  サーバ
７０  バッテリ
８０  分電盤
１０１  タイマ起動部
１０２  ネットワーク起動部
１０３  電源オフ制御部
２００  電源制御装置
２０１  タイマ起動部
２０２  ネットワーク起動部
２０３  電源オフ制御部
３００  情報処理装置
【図１】
0006610342.tif 000002
【図２】
0006610342.tif 000003
【図３】
0006610342.tif 000004
【図４】
0006610342.tif 000005
【図５】
0006610342.tif 000006
【図６】
0006610342.tif 000007
【図７】
0006610342.tif 000008